(57)【要約】【課題】金型部品等の簡易迅速な交換その他を可能とし、また、その後の、成形作業の迅速なる再開を可能とする。【解決手段】型締め姿勢でキャビティを形成する固定型１および可動型２を具えるものであり、可動型２を、固定型側に位置するキャビティ区画部分３と、このキャビティ区画部分３に着脱可能なバックアップ部分４との分割構造としてなる。【選択図】        図１
2004224001.tif 000002
【特許請求の範囲】
【請求項１】
型締め姿勢でキャビティを形成する固定型および可動型を具える成形用金型であって、
可動型を、固定型側に位置するキャビティ区画部分と、このキャビティ区画部分に着脱可能なバックアップ部分との分割構造としてなる成形用金型。
【請求項２】
キャビティ区画部分に、固定型もしくはバックアップ部分の一方に選択的に固定可能な連結部を設けてなる請求項１に記載の成形用金型。
【請求項３】
前記連結部を、固定型およびバックアップ部分のそれぞれに設けたフランジに締結されるそれぞれの専用フランジとしてなる請求項２に記載の成形用金型。
【請求項４】
キャビティ区画部分もしくはバックアップ部分に、キャビティの形成に寄与する、摩耗および／または破損し易い部品を取付けてなる請求項１〜３のいずれかに記載の成形用金型。
【請求項５】
型締め姿勢でキャビティを形成する固定型および可動型を具える成形用金型であって、
固定型を、可動型側に位置するキャビティ区画部分と、このキャビティ区画部分に着脱可能なバックアップ部分との分割構造としてなる成形用金型。
【請求項６】
キャビティ区画部分に、可動型もしくはバックアップ部分の一方に選択的に固定可能な連結部を設けてなる請求項５に記載の成形用金型。
【請求項７】
キャビティ区画部分もしくはバックアップ部分に、キャビティの形成に寄与する、摩耗および／または破損し易い部品を取付けてなる請求項５または６に記載の成形用金型。
【発明の詳細な説明】
【発明の属する技術分野】
【０００１】
この発明は、たとえば射出成形その他の成形用金型に関するものであり、とくには、金型部品の損傷、摩耗その他に伴う交換作業、金型清掃作業等を、簡易かつ迅速に行うことができる金型を提案するものである。
【０００２】
【従来の技術】
型締め姿勢で成形キャビティを形成する固定型および可動型を具える従来の多くの射出成形金型等では、図６に断面図で例示するように、固定型２１および可動型２２のそれぞれが、ともに一体的な構造体として構成されていることから、たとえば、金型部品２３の損傷、摩耗等に起因する部品交換、金型清掃等に当っては、成形金型の全体２４を成形機から取外すとともに、固定型および可動型２２の少なくとも一方を完全に分解し、再度組立てることが不可避であった。
【０００３】
【発明が解決しようとする課題】
これがため、従来の成形金型２４にあっては、それらの作業に多くの工数を要することになる他、成形金型２４の成形機からの取外しに伴う、金型の温度調節の停止およびそれの再開に起因するエネルギロスが大きく、また、成形作業を再開できるに到るまでの時間のロスが大きくなる等の問題があった。
【０００４】
この発明は、従来技術が抱えるこのような問題点を解決することを課題とするものであり、それの目的とするところは、金型部品の交換および、金型の清掃等を、金型の分解、組立てはもちろん、成形金型の、成形機からの取外しおよび、それに伴う金型の温度調節の停止等なしに、短時間のうちに簡易迅速に行うことができ、また、所要の交換作業等の終了とほぼ同時に射出成形その他の作業を再開することができる成形用金型を提供するにある。
【０００５】
【課題を解決するための手段】
この発明の成形用金型は、型締め姿勢で成形キャビティを形成する固定型および可動型を具えるものであり、可動型を、固定型側に位置するキャビティ区画部分と、このキャビティ区画部分に対して着脱可能な、より好ましくは簡易に着脱し得るバックアップ部分との分割構造としたものである。
【０００６】
この成形用金型では、それを、対をなす固定型と可動型との間で分離できることはもちろん、可動型の、キャビティ区画部分とバックアップ部分との間でも分離させることができるので、成形用金型を成形機から取り出すことなく、また、金型の温度調節を停止する必要もなく、たとえば、キャビティ区画部分に取り付けた金型部品等を、簡易かつ迅速に、すぐれた作業能率をもって交換することができ、これらのことは、金型の清掃等に当ってもまた同様である。
【０００７】
従ってここでは、金型部品の交換作業等を、少ない作業工数の下で、小さなエネルギロスおよび、小さな時間ロスをもって簡易迅速に行うことができ、しかも、所定の作業の終了とほぼ同時に、成形作業を再開することができる。
【０００８】
ここで好ましくは、キャビティ区画部分に、固定型もしくはバックアップ部分の一方に選択的に固定可能な連結部を設ける。
これによれば、キャビティ区画部分の連結部をもって、それをバックアップ部分に固定することにより、それらの両部分よりなる可動型にそれ本来の機能を発揮させて、成形用金型による所定の成形作業を行うことができ、一方、キャビティ区画部分の連結部によってそれを固定型に固定した場合には、バックアップ部分の変位下で、それをキャビティ区画部分から分離させることができるので、それらの両部分間の清掃、キャビティ区画部分に取付けた金型部品の交換等を簡単に行うことができる。
【０００９】
ところで、キャビティ区画部分のこのような連結部は、固定型およびバックアップ部分のそれぞれに共用のものとすることも可能であるが、より好ましくは、その連結部を、固定型およびバックアップ部分のそれぞれに設けたフランジに締結されるそれぞれの専用フランジとする。
【００１０】
これによれば、キャビティ区画部分が、固定型の連結フランジのための専用フランジと、バックアップ部分の連結フランジのための専用フランジとを有することになるので、それぞれの専用フランジを、それらが固定されるそれぞれの連結フランジとの関連において最も適正なものとすることができ、また、連結部を共用のものとする場合に比して専用フランジはもちろん、専用フランジが固定される対向連結フランジの設計の自由度を大きく高めることができる。
【００１１】
そしてまた好ましくは、キャビティ区画部分もしくはバックアップ部分に、キャビティの形成に寄与する、摩耗および／または破損し易い部品を取付ける。
かかる構成によれば、キャビティ区画部分とバックアップ部分とを上述したように分離させることによって、キャビティ区画部分もしくはバックアップ部分のいずれかに取付けた摩耗等し易い部品の交換を簡易迅速に行うことができる。
【００１２】
ところで、これらのことは、可動型を分割構造とすることに代えて、固定型を、可動型側に位置するキャビティ区画部分と、このキャビティ区画部分に着脱可能な、より好ましくは容易に着脱できるバックアップ部分との分割構造とした場合にも同様であり、金型部品の交換、金型の清掃等をすぐれた作業能率にて行うことができる。
【００１３】
そしてこの場合にもまた、キャビティ区画部分に、可動型もしくはバックアップ部分の一方に選択的に固定可能な連結部を設けることにより、先に述べたように、成形用金型による所定の成形作業と、部品交換作業等との切換えを、これまた簡易にかつ迅速に行うことができる。
【００１４】
またここで、キャビティ区画部分もしくはバックアップ部分に、キャビティの形成に寄与する摩耗および／または破損し易い部品を取付けたときは、それらの両部分を分離させることで、部品を簡易にかつ迅速に交換することができる。
【００１５】
【発明の実施の形態】
以下にこの発明の実施の形態を図面に示すところに基づいて説明する。
図１はこの発明の実施形態を、それぞれの金型構成部分の分離姿勢で示す断面図であり、図中１は固定型、２は可動型のそれぞれを示す。
ここで、固定型１および可動型２のそれぞれは、相互の対向面に、閉空間としての成形キャビティの画成のための成形面１ａ，２ａを有する。
【００１６】
ここでは、可動型２を、固定型１側に位置するキャビティ区画部分３と、このキャビティ区画部分３に簡易に着脱できるバックアップ部分４との分割構造になるものとし、それらの両部分３，４の着脱は、キャビティ区画部分３の、バックアップ部分側の端部分に設けた連結部としての一方のフランジ５を、バックアップ部分４に設けた連結フランジ６に、ボルト・ナット、クランパ等の適宜の手段を用いて緊締すること、およびその緊締を解除することにより行うことができる。
【００１７】
また、この図に示すキャビティ区画部分３は、固定型側の端部分にもまた連結部として他方のフランジ７を有しており、このフランジ７は、それを、固定型１に設けた連結フランジ８に同様にして緊締することで、キャビティ区画部分３を固定型１に固定することができ、その緊締を解除することで、それらの両者を分離することができる。
そしてまたここでは、キャビティ区画部分３に、成形面側へ突出してその成形面の一部となる、摩耗および／または破損し易い部品、たとえば中子９を取付ける。
【００１８】
このように構成してなる成形金型では、キャビティ区画部分３の一方のフランジ５と、バックアップ部分４の連結フランジ６とを図２に示すように緊締することで、可動型２はそれ本来の機能を発揮することでき、可動型２を進出変位させて、それを固定型１に対して型締めすることにより、図２に仮想線で示すように、固定型１およびキャビティ区画部分３のそれぞれの成形面１ａ，２ａの協働下で成形キャビティ１０が形成されることになる。
従って、この緊締状態においては、射出成形その他の所定の成形作業を所要に応じて繰返し行うことができる。
【００１９】
この一方で、金型部品の交換、清掃等を行う場合には、キャビティ区画部分３の他方のフランジ７を固定型１の連結フランジ８に緊締する一方で、そのキャビティ区画部分３とバックアップ部分４との緊締を解除し、その後、図３に示すように、キャビティ区画部分３を固定型側に残留させた状態で、バックアップ部分４だけを後退変位させることにより、キャビティ区画部分３とバックアップ部分４とを分離させることができ、この分離は、成形金型を成形機から取り外すことなく、また、成形金型に対する温度調節を継続させたまま行うことができる。
【００２０】
両部分３，４をこのように分離させた状態の下では、たとえば中子９の交換、それらの両部分間の清掃等を極めて簡易にかつ迅速に行うことができ、また、それらの作業の終了後は、キャビティ区画部分３とバックアップ部分４との緊締をもたらす一方でそのキャビティ区画部分３を固定型１から解放することにより、常に適正なる金型温度の下で、成形作業を直ちに再開することができる。
【００２１】
以上この発明の一の実施形態について説明したが、たとえば図４に示すように、成形キャビティの形成に寄与する、摩耗および／または破損し易い部品の一例としての中子９は、バックアップ部分４に取付けることもでき、この場合にあっても、キャビティ区画部分３とバックアップ部分４とを分離させることで、その中子９等の交換を、先の場合と同様に簡易迅速に行うことができる。
【００２２】
図５は、他の実施形態を示す図１と同様の断面図であり、これは可動型を分割構造とすることに代えて、固定型１を、可動型２側に位置して、成形キャビティの画成のための成形面１１ａを有するキャビティ区画部分１１と、このキャビティ区画部分１１を簡易に着脱することができるバックアップ部分１２との分割構造としたものである。
【００２３】
ここでは、一体的に構成した可動型２に、キャビティ区画部分１１の成形面１１ａと協働して成形キャビティを区画する成形面２ｂを設けており、そして、そのキャビティ区画部分１１に、それを、バックアップ部分１２または可動型２のいずれか一方に選択的に連結可能とする、前述したと同様の専用フランジ１３，１４を設けるとともに，キャビティ区画部分１１に、摩耗および／または破損し易い部品の一例としての中子９を設けている。
【００２４】
このように構成してなる成形用金型によれば、キャビティ区画部分１１を、バックアップ部分１２に緊締することで、通常の成形用金型と同様に機能させることができ、一方そのキャビティ区画部分１１を可動型２に緊締等して、可動型２の作動の下で、キャビティ区画部分１１をバックアップ部分１２から分離させたときは、部品交換、清掃等を簡易にかつ迅速に行うことができる。
【００２５】
なお図５に示すところでは、キャビティ区画部分１１に取付けている中子９等は、バックアップ部分１２に取付けることもでき、これによってもまた、先の場合と同様の作用効果をもたらすことができる。
【００２６】
【発明の効果】
かくして、この発明によれば、とくには、可動型または固定型を、成形用金型を成形機から取り出すことなく相互に着脱可能な、キャビティ区画部分とバックアップ部分との分割構造とすることにより、金型部品の交換、金型の清掃等を、少ない作業工数で簡易迅速に行うことができ、また、それらの作業中にも金型の温度調節を継続することで、エネルギロスおよび、時間のロスを十分小さく抑えて、部品交換等の終了の後に、成形作業を直ちに再開することができる。
【図面の簡単な説明】
【図１】この発明の実施の形態を、それぞれの金型構成部分の分離姿勢で示す断面図である。
【図２】可動型の一般的な機能態様を示す断面図である。
【図３】キャビティ区画部分とバックアップ部分との分離態様を示す断面図である。
【図４】他の実施形態を示す図１と同様の断面図である。
【図５】さらに他の実施形態を示す図１と同様の断面図である。
【図６】従来技術を示す断面図である。
【符号の説明】
１    固定型
１ａ，２ａ，２ｂ，１１ａ  成形面
２    可動型
３，１１  キャビティ区画部分
４，１２  バックアップ部分
５，７，１３，１４  フランジ
６，８  連結フランジ
９    中子
１０    成形キャビティ
【図１】
2004224001.tif 000003
【図２】
2004224001.tif 000004
【図３】
2004224001.tif 000005
【図４】
2004224001.tif 000006
【図５】
2004224001.tif 000007
【図６】
2004224001.tif 000008